(57)【要約】      （修正有）【課題】低コストで作製し易く、操作の安全性の確保と、照射角度を増大できて使用寿命を延長できる電球構造を提供する。【解決手段】電球本体と、導光体と、少なくとも一つの発光ダイオードとを含む。該電球本体は、透光材及び電気コネクタが設けられ、透光材が電気コネクタに結合され、電気コネクタの一方側に回路基板が固着され、かつ回路基板が電気コネクタに電気的に接続される。少なくとも一つの発光ダイオードは、電気コネクタの一方側の回路基板に設けられ、少なくとも一つの発光ダイオードは、内部光源を与えるため回路基板に電気的に接続される。導光体は、電球本体の内部に設けられ、導光体の一方側に、少なくとも一つの発光ダイオードを覆設するための収容空間が形成され、導光体が電気コネクタに直立して形成される。【選択図】図２
0003148997.tif 000002
【実用新案登録請求の範囲】
【請求項１】
透光材及び電気コネクタが設けられ、前記透光材が前記電気コネクタに結合され、前記電気コネクタの一方側に回路基板が固着され、前記回路基板が前記電気コネクタに電気的に接続された電球本体と、
前記電気コネクタの一方側の回路基板に設けられ、内部光源を与えるため前記回路基板に電気的に接続された少なくとも一つの発光ダイオードと、
前記電球本体の内部に設けられ、前記少なくとも一つの発光ダイオードを覆設するための収容空間が一方側に形成され、前記電気コネクタに直立して形成される導光体と、を含むことを特徴とする電球構造。
【請求項２】
前記透光材は、透明ガラス、透明プラスチック、霧面ガラス、霧面プラスチックのうちから選ばれた何れかの一つであることを特徴とする請求項１に記載の電球構造。
【請求項３】
前記導光体の外表面に、光を反射するための光反射層が塗布され、前記導光体の頂部に光を屈折するためのボールが設けられたことを特徴とする請求項１に記載の電球構造。
【請求項４】
前記導光体の表面に、光を屈折するための粗い面が形成されたことを特徴とする請求項１に記載の電球構造。
【請求項５】
前記導光体の内部に、光を屈折するための光反射層が設けられたことを特徴とする請求項１に記載の電球構造。
【請求項６】
外部の電源ソケットに螺着して電気的に接続するため、前記電気コネクタの外縁にねじ状導電体を備えていることを特徴とする請求項１、３、４または５に記載の電球構造。
【請求項７】
外部の電源ソケットに挿着して電気的に接続するため、前記電気コネクタの一方側に２つの導電柱を備えていることを特徴とする請求項１、３、４または５に記載の電球構造。
【請求項８】
光を照射した後により柔らかい光線を形成するため、前記導光体内に、さらに拡散粉が添加されたことを特徴とする請求項１に記載の電球構造。
【考案の詳細な説明】
【技術分野】
【０００１】
本考案は、電球構造に係り、特に、電球本体内部に設けられた導光体で、発光ダイオードからの光源を案内することにより、照射角度が増加し及び使用寿命が延長される効果を持たせて、様々な照明場合に適用される電球構造に関するものである。
【背景技術】
【０００２】
伝統的な照明ランプが広く使われているが、以下の欠点もある。
すなわち、電力消費量が高くてエネルギーの無駄使いとなり、発熱量が高くて火傷及び周囲部品の損壊をし易くなり、使用寿命が短く常に交換する必要があり、造型が一定で芸術感が欠けている。
【０００３】
近年、全世界は、さらに原料価格の急激な上昇やエネルギー不足の問題に向かいつつあり、エネルギーの無駄使いを避けるため、業者は、電力消費量の大きいタングステン電球の代りに、省電力電球の開発に続々と力を入れている。伝統的なタングステン電球の発熱量は高く、火傷もしくは周囲部品が損壊し易いので、省電力電球は、速やかに照明市場の目玉商品となりつつある。
そのうち、発光ダイオードも、輝度や持続性に優れるため照明分野に広く使われている。
【０００４】
しかしながら、発光ダイオードは、照射角度において指向性の問題がある。一般に市場の発光ダイオードは、
１．照射角度が２０°未満の高指向性発光ダイオード、
２．照射角度が２０°〜４５°に介在する標準型発光ダイオード、
３．照射角度が４５°よりも大きい散乱型発光ダイオードに分けられている。
しかし、散乱型発光ダイオードであっても、相当程度の照射問題が存在している。
そのため、どのようにすれば発光ダイオードを照明に適用するか、どのようにすれば照射角度の問題を克服するとともに実用性及びコストをも考え入れるかは、業者にとって今後に対面する最も大きな課題となっている。
【０００５】
本考は以上の点に鑑みて成されたもので、消費者により低廉、省電力及び耐用的な照明設備を提供することができる。
【考案の開示】
【考案が解決しようとする課題】
【０００６】
本考案の主な目的は、電球本体内部に設けられた導光体で、発光ダイオードからの内部光源を案内することにより、照射角度を増加する効果を持たせ、ひいて本考案の進歩性を向上させる電球構造を提供することにある。
【０００７】
本考案の次の目的は、導光体が特別に加工処理されることにより、照射角度を増加する効果を持たせ、ひいて本考案の変化性を向上させる電球構造を提供することにある。
【０００８】
本考案のもう一つ目的は、電球本体内部の光源が発光ダイオードにより与えられ、操作安全及び使用寿命を延長する効果を持たせ、ひいて本考案の実用性を向上させる電球構造を提供することにある。
【０００９】
本考案の更なる一つ目的は、各素子の構成が簡単であることにより、作製し易く、コストが低下される効果を持たせ、ひいて本考案の実用性を向上させる電球構造を提供することにある。
【課題を解決するための手段】
【００１０】
前記目的を達成するため、本考案に係る電球構造は、電球本体と、導光体と、少なくとも一つの発光ダイオードとを含む。前記電球本体は、透光材及び電気コネクタが設けられ、前記透光材が電気コネクタに結合され、前記電気コネクタの一方側に回路基板が固着され、前記回路基板が前記電気コネクタに電気的に接続される。前記少なくとも一つの発光ダイオードは、前記電気コネクタの一方側の回路基板に設けられ、前記少なくとも一つの発光ダイオードは、内部光源を与えるため前記回路基板に電気的に接続される。前記導光体は、前記電球本体の内部に設けられ、前記導光体の一方側に前記少なくとも一つの発光ダイオードを覆設するための収容空間が開設され、前記導光体は前記電気コネクタに直立して形成される。よって、作製し易く、コストが低下され、操作安全、照射角度が増加し及び使用寿命が延長される効果を持たせ、実用性、進歩性及び変化性を確かに備えている。
【００１１】
本考案に係る特徴及び技術内容が、以下に本考案に関る詳しい説明及び添付図面を参照することにより、深く且つ具体的な理解を得られるが、添付した図面は参考及び説明のみに使われ、本考案の範囲を限定するものではない。
【考案を実施するための最良の形態】
【００１２】
図１及び図６は、本考案に係る第１実施例の側面図及び使用状態図である。
図１及び図６に示すように、電球構造は、電球本体１と、導光体２と、少なくとも一つの発光ダイオード３とを含む。
【００１３】
電球本体１は、透光材１１（本実施例では透明ガラスであるが、透明プラスチックや霧面ガラスまたは霧面プラスチックであっても良い）及び電気コネクタ１２（外部電源ソケット４に螺着して電気的に接続されるため、本実施例の電気コネクタ１２の外縁にねじ状導電体１２１を備え）を具備する。
該透光材１１は電気コネクタ１２に結合される。
該透光材１１は、内部光源（発光ダイオード３から与えられ）を外へ透過するとともに内部素子を隔離、保護するものである。
該電気コネクタ１２は、外部電源ソケット４に結合し電力を受け取る。
また、電気コネクタ１２の一方側に回路基板１３が固着される。該回路基板１３は電気コネクタ１２に電気的に接続されている。
【００１４】
少なくとも一つの発光ダイオード３は、内部光源を与えるため電気コネクタ１２の一方側の回路基板１３に電気的に接続されるように設けられる。そのうち、少なくとも一つの発光ダイオード３は、レッド、ブルー、グリーンの光またはこれらの混合のいずれか一つを用いる。
【００１５】
導光体２（本実施例では、透明の細長い円形柱）は、電球本体１の内部に設けられ、該導光体２の一方側に少なくとも一つの発光ダイオード３を覆設するための収容空間２１が形成されている。
導光体２が電気コネクタ１２に直立して形成される。よって、該導光体２は、発光ダイオード３からの内部光源を透光材１１の外部に透過させるように適切に案内できる。
【００１６】
図２は、本考案に係る第２実施例の部分側面断面図である。
図２に示すように、電球構造は、電球本体１と、導光体２と、少なくとも一つの発光ダイオード３とを含む。
該電球本体１及び少なくとも一つの発光ダイオード３の構成は、第１実施例と同じであるので、繰り返して説明しない。
【００１７】
導光体２は、電球本体１の内部に設けられ、該導光体２の一方側に少なくとも一つの発光ダイオード３を覆設するための収容空間２１が形成される。
導光体２は電気コネクタ１２に直立して形成され、導光体２の外表面に光源を反射するための光反射層２２が塗布される（発光ダイオード３からの導光体２の側面に投射した光を反射して導光体２の頂面に案内させ）。
該導光体２の頂部に光源を屈折するためのボール２３（発光ダイオード３からの光がボール２３に投射されると、ボール２３が異なる屈折表面を有するため、光は屈折してから照射角度を変更し、異なる角度で外へ投射して照明角度を増加させ）が設けられる。よって、該導光体２は、発光ダイオード３からの内部光源を透光材１１の外部に透過させるように適切に案内できる。
【００１８】
図３は、本考案に係る第３実施例の側面図である。
図３に示すように、電球構造は、電球本体１と、導光体２と、少なくとも一つの発光ダイオード３とを含む。
該電球本体１及び少なくとも一つの発光ダイオード３の構成は、第１実施例と同じであるので、繰り返して説明しない。
【００１９】
導光体２は、電球本体１の内部に設けられ、該導光体２の一方側に少なくとも一つの発光ダイオード３を覆設するための収容空間２１が形成される。
導光体２は、電気コネクタ１２に直立して形成され、該導光体２の表面に光源を屈折するための粗い面（発光ダイオード３の光が導光体２に投射された時に、導光体２の表面が粗いので、光が屈折された後に照射角度が変更され、異なる角度で外へ照射して照明角度を増加させ）が形成される。
よって、該導光体２は、発光ダイオード３からの内部光源を透光材１１の外部に透過させるように適切に案内できる。
【００２０】
図４は、本考案に係る第４実施例の部分側面断面図である。
図４に示すように、電球構造は、電球本体１と、導光体２と、少なくとも一つの発光ダイオード３とを含む。
該電球本体１及び少なくとも一つの発光ダイオード３の構成は、第１実施例と同じであるので、繰り返して説明しない。
【００２１】
導光体２は、電球本体１の内部に設けられ、該導光体２の一方側に少なくとも一つの発光ダイオード３を覆設するための収容空間２１がけいせいされる。
導光体２は、電気コネクタ１２に直立して形成され、導光体２の内部に光源を反射するための光反射層２４（該光反射層２４は、複数の屈折面を形成し、発光ダイオード３からの光が光反射層２４に投射された時に、該光反射層２４は複数の屈折面を有するため、光が屈折された後に照射角度が変更され、異なる角度で外へ照射して照明角度を増加させ）が設けられる。
よって、該導光体２は、発光ダイオード３からの内部光源を透光材１１の外部に透過させるように適切に案内できる。
【００２２】
図５は、本考案に係る第５実施例の部分側面断面図である。
図５に示すように、電球構造は、電球本体１と、導光体２と、少なくとも一つの発光ダイオード３とを含む。
該導光体２及び少なくとも一つの発光ダイオード３の構成は、第１実施例と同じであるので、繰り返して説明しない。
【００２３】
電球本体１は、透光材１１（本実施例では透明ガラスであるが、透明プラスチックや霧面ガラスまたは霧面プラスチックであっても良い）及び電気コネクタ１２（外部電源ソケット（図示せず）に挿着して電気的に接続されるため、本実施例の電気コネクタ１２の一方側に導電柱１２２を備え）、該透光材１１は電気コネクタ１２に結合される。
そのうち、該透光材１１は、内部光源（発光ダイオード３から与えられ）を外へ透過するとともに内部素子を隔離、保護するものである。
該電気コネクタ１２は、外部電源ソケット４に結合し電力を受け取る。
また、電気コネクタ１２の一方側に回路基板１３が固着され、該回路基板１３が電気コネクタ１２に電気的に接続されている。
また、本考案の第２〜第４実施例（図２〜図４を参照する）の電気コネクタ１２は、外部電源ソケット４に螺着して電気的に接続されるため、外縁にねじ状導電体１２１を備える構成を例（前例と称され）とするが、実際に使用する場合には、外部電源ソケット（図示せず）に挿着して電気的に接続されるため、電気コネクタ１２の一方側に２つの導電柱１２２を備えても、前例と同じ効果が得られる。
【００２４】
使用する場合は、図６に示すように、電球本体１の電気コネクタ１２が外部電源ソケット４に結合された後に、電力が外部から回路基板１３に入力し、かつ、発光ダイオード３が該回路基板１３に電気的に接続されたため、発光ダイオード３が速やかに点灯して発光する。
発光ダイオード３は内部光源として発光し、該内部光源は導光体２に投射して屈折され、異なる角度で外へ放射し、電球本体１内の光源を角度広く外へ照射させる。該電球本体１が照射した光線は明るく、一般の白熱灯に比べて、点灯すれば直ちに光るという利点がある。
しかも光の点滅よる視力損傷の欠点は無く、伝統な電球に比べて、使用寿命が長いという利点がある。
しかも発熱量が高いという欠点がない。
また、発光ダイオード３は、レッド、ブルー、グリーンの光またはこれらの混合のうちいずれかの一つから選ばれ、光線の変化が豊かで、一般の白熱灯及び伝統電球にとって比べられないものでもある。
【００２５】
本考案の電球構造の透光材１１は、透明ガラス、透明プラスチック、霧面ガラスまたは霧面プラスチックから選択できる他、飾りの効果を備えるため、外形上において様々な変化（例えば、浮き上がり成形、縞模様印刷、刻み模様、ステンシル等）をしても良い。
また、本考案の電球構造の導光体２は、発光ダイオード３からの内部光源を案内する他、飾りの効果を備えるため、外形上において様々な変化（例えば、動物造型、天女造型、クリスマスツリー造型等）をしても良い。
該導光体２は、さらに、光源を案内するため、様々な特別の加工処理（例えば、表面粗さ処理、表面塗布光反射層２２、ボール付き頂部２３、内部に光反射層２４が付加される等）が行われている。
【００２６】
光を照射した後により柔らかい光線を形成するため、前記図１〜図６の実施例における導光体２内に、何れも、拡散粉２５が添加できる（図５を参照する）。
【００２７】
本考案による電球構造は、以下の特徴がある。
電球本体１の内部に設けられた導光体２で、発光ダイオード３からの光を案内することにより、照射角度を増加する効果を持たせ、ひいて本考案の進歩性を向上させる。
また、導光体２が特別に加工処理されることにより、照射角度を増加する効果を持たせ、ひいて本考案の変化性を向上させる。
さらに、電球本体１内部の光源が発光ダイオード３により与えられ、操作安全及び使用寿命を延長する効果を持たせ、ひいて本考案の実用性を向上させる。
さらに、各素子の構成が簡単であることにより、作製し易く、コストが低下される効果を持たせ、ひいて本考案の実用性を向上させる。
以上のように、本考案の電球構造は、実用性、進歩性及び変化性を確かに備えている。
【００２８】
しかし、前記の説明は、単に本考案による好ましい実施例に過ぎず、本考案の範囲を限定するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【図面の簡単な説明】
【００２９】
【図１】本考案に係る第１実施例の側面図である。
【図２】本考案に係る第２実施例の部分側面断面図である。
【図３】本考案に係る第３実施例の側面図である。
【図４】本考案に係る第４実施例の側面図である。
【図５】本考案に係る第５実施例の側面図である。
【図６】本考案に係る第１実施例の使用状態を示す図である。
【符号の説明】
【００３０】
１        電球本体
１１      透光材
１２      電気コネクタ
１２１    ねじ状導電体
１２２    導電柱
１３      回路基板
２        導光体
２１      収容空間
２２      光反射層
２３      ボール
２４      光反射層
２５      拡散粉
３        発光ダイオード
４        電源ソケット
【図１】
0003148997.tif 000003
【図２】
0003148997.tif 000004
【図３】
0003148997.tif 000005
【図４】
0003148997.tif 000006
【図５】
0003148997.tif 000007
【図６】
0003148997.tif 000008